(57)【要約】【課題】簡単安価に組み立てできると共に、宅配ボックスの本体の盗難を抑制でき、更には、転倒しにくい宅配ボックス用台座の組立キット、及び宅配ボックスを提供すること。【解決手段】宅配ボックス用の台座３０を構成する組立キット４０をユーザに提供する。組立キット４０が、組み立てられた状態でブロック６０を収容するブロック収容室を画定する。組立キット４０が、ブロック収容室の上側に配置されて宅配ボックスの本体が固定される少なくとも１つの本体固定板４７、ブロック収容室の側方を画定する少なくとも４つの側板４１,４２、ブロック収容室の下側を画定する少なくとも１つの底板４５、及び側板４２に取り付けられ、組み立てられた状態で取り付けた側板４２にその側板４２が転倒しにくくなる力を付与する少なくとも１つの転倒防止材２０を備える。【選択図】図２
2020028402.tif 000002
【特許請求の範囲】
【請求項１】
宅配ボックス用台座の組立キットであって、
組み立てられた状態でブロックを収容するブロック収容室を画定し、
前記ブロック収容室の上側に配置されて宅配ボックスの本体が固定される少なくとも１つの本体固定材、前記ブロック収容室の側方を画定する少なくとも４つの側板、前記ブロック収容室の下側を画定する少なくとも１つの底板、及び、前記側板に取り付けられ、組み立てられた状態で取り付けた前記側板にその側板が転倒しにくくなる力を付与する少なくとも１つの転倒防止材を備える、組立キット。
【請求項２】
少なくとも１つの前記側板が、貫通孔を有し、
前記転倒防止材は、前記貫通孔に係合する係合部を有する、請求項１に記載の組立キット。
【請求項３】
少なくとも１つの前記側板が、ねじ孔を有すると共に、前記転倒防止材が、組み立てられた状態で外部から視認不可能な有底のねじ孔を有し、
前記少なくとも１つの側板の前記転倒防止材側とは反対側の内面から前記側板のねじ孔と前記転倒防止材のねじ孔に締め込まれるねじ部材を更に備える、請求項１又は２に記載の組立キット。
【請求項４】
前記転倒防止材は、略同一の平面で構成される一対の側面を有し、
組み立てられた状態において、前記各側面は、前記側板の外面に接触する縁を有し、前記各側面における高さ方向に直交する直交方向の寸法は、前記高さ方向の下側に行くにしたがって大きくなる、請求項１乃至３のいずれか１つに記載の組立キット。
【請求項５】
請求項１乃至４のいずれか１つに記載の組立キットを組み立てることで構成される宅配ボックス用台座を備える、宅配ボックス。
【発明の詳細な説明】
【技術分野】
【０００１】
本開示は、宅配ボックス用台座の組立キット及び宅配ボックスに関する。
【背景技術】
【０００２】
従来、宅配ボックスとしては、特許文献１に記載されているものがある。この宅配ボックスは、前面に扉が形成された本体と、本体から下側に突出すると共に奥行き方向に延在する４条の平板を有する。４条の平板のうちの２条の平板は、本体の下側における幅方向の両端部に設けられ、残りの２条の平板は、両端部の平板から略コンクリートブロックの幅方向寸法だけ間隔をおいて両端部の平板に略平行な状態で内側の位置に設けられる。
【０００３】
端部に設けられた平板と、その内側の平板との間には、コンクリートブロックが、その貫通孔が本体の幅方向に延在するように配置され、一対の平板が、コンクリートブロックを挟持する。また、各平板は、奥行き方向に間隔をおいて配置される２つのボルト挿通孔を有する。宅配ボックスの幅方向から見たとき、一対の平板のボルト挿入孔位置は、一対の平板が挟持しているコンクリートブロックの貫通孔位置に一致する。長尺のボルトが、コンクリートブロックの貫通孔、および一対のボルト挿入孔に挿通され、ナットで締結される。その結果、宅配ボックスが２つのコンクリートブロックと一体化され、宅配ボックスの台座構造が、コンクリートブロックを利用して構成される。
【先行技術文献】
【特許文献】
【０００４】
【特許文献１】実開昭６１−１５０９４５号公報
【発明の概要】
【発明が解決しようとする課題】
【０００５】
上記宅配ボックスでは、購入者がコンクリートブロックを用意すればよく、製造コストと輸送コストを低減できる。また、購入者が、本体の２条の平板部の間にコンクリートブロックを配置してボルトとナットでねじ止めするだけで、宅配ボックスを業者の手を借りずに容易に組み立て出来る。
【０００６】
しかし、上記宅配ボックスは、外部からナット及びボルトを容易に外すことができ、本体と重量物であるコンクリートブロックを容易に分離できるので、宅配ボックスの本体を持ち去られる虞がある。また、宅配ボックスが、転倒しにくい構造を有していると好ましい。
【０００７】
そこで、本開示の課題は、簡単安価に組み立てできると共に、宅配ボックスの本体の盗難を抑制でき、更には、転倒しにくい宅配ボックス用台座の組立キット、及びその組立キットを組み立てることで構成される宅配ボックス用台座を備える宅配ボックスを提供することにある。
【課題を解決するための手段】
【０００８】
上記課題を解決するため、本開示に係る組立キットは、宅配ボックス用台座の組立キットであって、組み立てられた状態でブロックを収容するブロック収容室を画定し、ブロック収容室の上側に配置されて宅配ボックスの本体が固定されるすくなくとも１つの本体固定材、ブロック収容室の側方を画定する少なくとも４つの側板、ブロック収容室の下側を画定する少なくとも１つの底板、及び、側板に取り付けられ、組み立てられた状態で取り付けた側板にその側板が転倒しにくくなる力を付与する少なくとも１つの転倒防止材を備える。
【発明の効果】
【０００９】
本開示に係る組立キットによれば、簡単安価に組み立てできると共に、宅配ボックスの本体の盗難を抑制でき、更には、宅配ボックスを転倒しにくくできる。
【図面の簡単な説明】
【００１０】
【図１】本開示の一実施形態に係る宅配ボックスの斜視図である。
【図２】上記宅配ボックスの台座の分解斜視図であり、台座の組立キットについて説明する分解斜視図である。
【図３】上記台座の転倒防止材を第２側板への取付側（内側）から見たときの斜視図である。
【図４】上記転倒防止材を第２側板側とは反対側（外側）から見たときの斜視図である。
【図５】上記転倒防止材が第２側板に固定された状態の台座の一部の模式断面図である。
【図６】上記宅配ボックスの本体と台座の固定構造について説明する図である。
【図７】適切に設置された状態の上記宅配ボックスを上から見たときの模式平面図である。
【図８】変形例の台座の斜視図である。
【図９】変形例の宅配ボックスにおける図７に対応する模式平面図である。
【図１０】更なる変形例の宅配ボックスにおける図７に対応する模式平面図である。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、以下の説明及び図面で、Ｘ方向は、宅配ボックス用台座（以下、単に台座という）３０,１３０の幅方向であり、Ｙ方向は、台座３０,１３０の奥行き方向である。また、Ｚは、台座３０,１３０の高さ方向である。Ｘ方向は、宅配ボックス１,２０１,３０１の幅方向に一致し、Ｙ方向は、宅配ボックス１,２０１,３０１の奥行き方向に一致する。また、Ｚ方向は、宅配ボックス１,２０１,３０１の高さ方向に一致する。Ｘ方向、Ｙ方向、及びＺ方向は、互いに直交する。また、以下の説明で、台座本体とは、台座における転倒防止材以外の部分を指すものとする。また、以下の説明において、鉛直方向に関連する文言、例えば、上側、下側、水平方向等が使用された場合、その文言は、宅配ボックス１が水平面に設置されている状態で表現されている。
【００１２】
図１は、本開示の一実施形態に係る宅配ボックス１の斜視図である。図１に示すように、宅配ボックス１は、本体１０と、台座３０を備え、本体１０は、外装体１２と、片開き型の扉１３を含む。外装体１２は、Ｙ方向一方側に荷物を出し入れする開口１４を有する。
【００１３】
扉１３における幅方向一方側にあるＺ方向に延在する縁部には、その上側に上側軸部が設けられ、その下側に下側軸部が設けられる。Ｚ方向から見たとき、上側軸部と下側軸部は重なる。上側軸部と下側軸部の夫々は、外装体１２に回動自在に固定される。扉１３は、上側及び下側軸部を支点として外装体１２に対して回転可能となっている。
【００１４】
詳述しないが、扉１３は、例えば、その内側に宅配業者等が施錠を行うための操作部１５を有する。また、扉１３は、例えば、その外側に宅配業者等が扉１３を開けるための開ボタンと、伝票を差し込む伝票差込口と、捺印を実行させる捺印ボタンと、使用可能の有無を表示する表示部を有する。
【００１５】
例えば、宅配業者等は、先ず、扉が閉じられた宅配ボックス１の開ボタンを押して、扉１３を開け、荷物を外装体１２内に入れることができ、操作部１５を用いて、扉１３が閉じた状態で施錠を行うことができる。また、宅配業者等は、例えば、伝票を伝票差込口に入れ、捺印ボタンを押すことにより、本体１０に事前にセットされたシャチハタ式等の印鑑により伝票への押印を実行できる。また、荷物が入れられて施錠されると、表示部が、使用中を意図する表示を行う。これにより、住人等が専用キーやパスワードの入力等で荷物を取り出さない限り、他の荷物を収容できなくなる。なお、本体１０に荷物を収容する機能、伝票に押印する機能、荷物を取り出す機能、及び表示機能の夫々は、多種多様存在し、いずれの機能でもよく、説明した機能に限らない。
【００１６】
台座３０は、略直方体状の外形を有する。本体１０は、台座３０の上側に載置される。外装体１２の底部１８には、ねじ孔１９が設けられる。本体１０と、台座３０は、本体固定用ねじ８５を、外装体１２の底部１８を貫くようにワッシャ８６を介して上側からねじ孔１９及び台座３０の上側に締め込むことで、一体化される。なお、台座３０は、宅配ボックス１の転倒を抑制する転倒防止材２０を外側に有する。転倒防止材２０の構造、及びその取付方法については後で詳細に説明する。
【００１７】
図２は、台座３０の分解斜視図であり、台座３０の組立キット４０について説明する分解斜視図である。図２に示すように、組立キット４０は、一対の第１側板４１、一対の第２側板４２、１つの天板４３、１つの底板４５、１つの本体固定板４７、及び一対の転倒防止材２０を備える。本体固定板４７は、本体固定材の一例である。第１側板４１、第２側板４２、天板４３、底板４５、及び本体固定板４７は、樹脂で形成されてもよいが、金属で形成されると好ましい。他方、転倒防止材２０は、金属で形成されてもよいが、樹脂で形成されると好ましい。
【００１８】
第１側板４１は、台座３０のＸ方向に延在する側壁部を構成する。第１側板４１は、Ｚ方向両側に長手方向（Ｘ方向に一致）に延在する折れ目線５０,５１を含み、上側折れ目線５０よりも上側に上側固定代５２を有し、下側折れ目線５１よりも下側に下側固定代５３を有する。また、第２側板４２は、台座３０のＹ方向に延在する側壁部を構成する。第２側板４２は、Ｚ方向両側に長手方向（Ｙ方向に一致）に延在する折れ目線５４,５５を含み、上側折れ目線５４よりも上側に上側固定代５６を有し、下側折れ目線５５よりも下側に下側固定代５７を有する。第１側板４１の上側及び下側固定代５２,５３は、Ｘ方向に間隔をおいて位置する２つの有底のねじ孔を有し、第２側板４２の上側及び下側固定代５６,５７は、Ｙ方向に間隔をおいて位置する３つの有底のねじ孔を有する。また、天板４３及び底板４５の夫々は、周辺部に１０個のねじ孔を有する。
【００１９】
下側固定代５３,５７を、工具等を用いて下側折れ目線５１,５５で台座３０の内側に９０度折り曲げ、１０個のねじ４８を、底板４５の下側からそのねじ孔及び下側固定代５３,５７の有底のねじ孔に締め込む。このようにして、一対の第１側板４１、一対の第２側板４２、及び底板４５が、一体化され、ブロック収容室の側面及び底面を画定する。
【００２０】
続いて、各第２側板４２に転倒防止材２０を取り付ける。図３は、転倒防止材２０を第２側板４２への取付側（内側）から見たときの斜視図であり、図４は、転倒防止材２０を第２側板４２側とは反対側（外側）から見たときの斜視図である。図２に示すように、第２側板４２は、矩形の開口を有する貫通孔２２をＹ方向の前側に有し、その貫通孔２２の長手方向は、Ｙ方向に略一致する。また、第２側板４２は、それを貫通するねじ孔２３を有する。ねじ孔２３は、貫通孔２２に対してＺ方向に間隔をおいて配置され、Ｚ方向から見たとき貫通孔２２におけるＹ方向の中央部に重なる。
【００２１】
一方、図３に示すように、転倒防止材２０は、第２側板４２の外面に当接する当接面２４を有する。また、転倒防止材２０は、当接面２４から突出する断面Ｌ字状の係合部２５を有し、係合部２５は、当接面２４からその法線方向に延びる奥行方向延在部２５ａと、奥行方向延在部２５ａの当接面２４側とは反対側の端部から高さ方向上方に延在する高さ方向延在部２５ｂを含む。更には、転倒防止材２０は、奥行方向に延在する円柱状の突出部からなるボス部２６を有し、ボス部２６は、その中心軸に沿って奥行方向に延在するねじ孔２６ａを含む。
【００２２】
ボス部２６は、幅方向に延在する板状の幅方向支持部２７を介して一対の側板２９に支持され、高さ方向に延在する板状の高さ方向支持部２８を介して上部及び下部に支持される。その結果、転倒防止材２０には、内側に開口を有する４つの凹部３３が形成される。また、図４に示すように、転倒防止材２０は、高さ方向の下側に外側に開口する凹部３４を有する。このように、転倒防止材２０に複数の凹部３３,３４を形成することで、転倒防止材２０の材料コストを低減し、ひいては、台座３０の製造コストを低減している。
【００２３】
話を組立キット４０の組立に戻す。図２及び図３を参照して、先ず、転倒防止材２０の係合部２５の奥行方向延在部２５ａを貫通孔２２内に収容し、係合部２５の高さ方向延在部２５ｂを第２側板４２の内面に係止する。その後、図２に３５で示すねじを、第２側板４２のねじ孔２３と転倒防止材２０のねじ孔２６ａに締め込む。この締め込みで、図５、すなわち、転倒防止材２０が第２側板４２に固定された状態の台座３０の一部の模式断面図に示すように、転倒防止材２０が第２側板４２に密着した状態で固定され、転倒防止材２０が第２側板４２と一体化される。
【００２４】
再度、図２を参照して、転倒防止材２０を第２側板４２に固定した後、３つのブロック６０を、矢印αで示す方向に上側開口からブロック収容室内に挿入して収容する。次に、本体固定板４７を天板４３に取り付ける。本体固定板４７は、平面視が矩形の平板においてＹ方向に延在するＸ方向の両縁部をＬ字状に折り返した形状を有する。詳しくは、本体固定板４７は、矩形平板状の本体部８０を有すると共に、本体部のＸ方向の両端部（両縁部）の夫々に、Ｚ方向に延在する高さ方向延在部８１とＸ方向に延在する幅方向延在部８２を有する。本体部８０の表側面の面積は、天板４３の表側面の面積よりも小さい。また、各幅方向延在部８２は、Ｙ方向に間隔をおいて位置する２つのねじ孔９５を有し、天板４３は、固定板固定用の４つのねじ孔８８を有する。本体固定板４７を各幅方向延在部８２が天板４３の表側面に接触するようにその表側面の中央部に配置する。そして、４つのねじを天板４３の下側から天板４３のねじ孔８８及び幅方向延在部８２のねじ孔９５に締め込むことで、本体固定板４７を天板４３に固定する。
【００２５】
続いて、上側固定代５２,５６を、工具等を用いて上側折れ目線５０,５４で台座３０の内側に９０度折り曲げる。そして、１０個のねじ９０を、天板４３の上側からそのねじ孔９１及び上側固定代５２,５６の有底のねじ孔９２,９３に締め込む。このねじ９０の締め込みで、本体固定板４７付きの天板４３が、第１及び第２側板４１,４２の上側端部に固定され、台座３０が構成される。
【００２６】
図６は、宅配ボックス１の本体１０と台座３０の固定構造について説明する図である。図６に示すように、台座３０の本体固定板４７の上面には、４つのねじ孔９８が設けられる。本体固定用ねじ８５を、扉１３（図１参照）が開いた状態の本体１０の底部の上側から、底部に設けられたねじ孔と本体固定板４７のねじ孔９８に螺合する。このようにして、本体１０を、本体固定板４７に取り付ける。
【００２７】
なお、天板４３に対する本体固定板４７の固定は、天板４３を上側固定代５２,５６に固定する前の如何なるタイミングで実行してもよい。また、図２に示すように、底板４５は、外側に突出すると共に貫通孔７１を有するワイヤー固定金具７０を有してもよい。そして、自転車の盗難防止用チェーンを適切な箇所にくくり付けて盗難防止を行うのと同様に、図示しないワイヤーを貫通孔７１に通過させた後、そのワイヤーを適切な箇所にくくり付けることで、宅配ボックス１の盗難防止を実行してもよい。
【００２８】
再度、図３、及び図４を参照して、転倒防止材２０は、台座３０において鉛直方向に広がる平面状の側板面に当接する当接面２４を有し、このことから当然に、当接面２４も、鉛直方向に広がる平面となる。また、転倒防止材２０は、水平方向に広がる平板状の底板部を有し、その底板部の底面２１は、水平方向に広がる平面で構成される。また、転倒防止材２０は、更に、略同一の平面で構成される一対の側板２９を有する。また、各側板２９の側面３８は、第２側板４２の外面に接触する縁３７を有し、各側板２９における高さ方向に直交する直交方向（水平方向）の寸法は、高さ方向の下側に行くにしたがって大きくなる。したがって、図１に示すように、転倒防止材２０が第２側板４２に固定されたとき、転倒防止材２０は、地面から受けるＺ方向上側の力に基づいて第２側板４２に水平方向の垂直抗力を付与でき、その結果、第２側板４２が転倒することを抑制又は防止できる。
【００２９】
図７は、適切に設置された状態の宅配ボックス１を上から見たときの模式平面図である。なお、図７において、参照番号３６は、宅配ボックス１の扉１３を開閉するときに、扉１３の先端が描く軌跡を示す。上述のように、宅配ボックス１は、Ｘ方向の両側にＸ方向外側に延在する転倒防止材２０を有する。したがって、宅配ボックス１がＸ方向の両側に転倒するのを抑制できるか又は防止できる。
【００３０】
以上、本開示の組立キット４０は、宅配ボックス１の台座３０の組立キットである。また、組立キット４０は、組み立てられた状態でブロック６０を収容するブロック収容室を画定する。また、組立キット４０は、ブロック収容室の上側に配置されて宅配ボックス１の本体１０が固定される少なくとも１つの本体固定板４７、及びブロック収容室の側方を画定する少なくとも４つの側板４１,４２を備える。また、組立キット４０は、ブロック収容室の下側を画定する少なくとも１つの底板４５、及び、側板４２に取り付けられ、組み立てられた状態で取り付けた側板４２にその側板４２が転倒しにくくなる力を付与する少なくとも１つの転倒防止材２０を備える。
【００３１】
したがって、組立キット４０を、１以上のブロック６０をブロック収容室に収容可能な状態まで組み立てた後、１以上のブロック６０をブロック収容室に収容できる。そして、その後、組立キット４０を最後まで組み立てることで、ブロック６０を用いた台座３０を簡単に組立てできる。更には、購入者は、ホームセンター等でブロック６０を１個につき２百円程度の低料金で購入できる。したがって、組立キット４０からブロック６０に対応する重量部品を削減でき、ブロック６０を輸送する必要もない。よって、宅配ボックス１を業者の手を借りずに容易に組み立てできるだけでなく、製造コストと輸送コストも大幅に低減できる。
【００３２】
また、上述のように、宅配ボックス１が荷物を収容した状態で立設している場合に、台座３０の組み立て及び固定に用いた全てのねじ３５,４８,９０を外部に露出しないようにできる。したがって、全てのねじ３５,４８,９０を外部から取り外し不可能にできる。よって、重量物であるブロック６０を台座３０から容易に分離できないようにでき、その結果、宅配ボックス１の持ち去りが容易でなくなり、宅配ボックス１の盗難も抑制できる。
【００３３】
また、ブロック６０がブロック収容室に収容された状態で、ブロック６０を、天板４３、４つの側板４１,４２、及び底板４５で覆うことができ、ブロック６０を外部から視認不可能にできる。よって、台座３０を、意匠性が高くて美観に優れるものにできる。
【００３４】
更には、転倒防止材２０が第２側板４２に固定されるので、転倒防止材２０が地面から受けるＺ方向上側の力に基づいて第２側板４２に水平方向の垂直抗力を付与できる。よって、第２側板４２が転倒することを抑制又は防止でき、その結果、宅配ボックス１が、転倒することを抑制又は防止できる。
【００３５】
また、少なくとも１つの側板４２が、貫通孔２２を有してもよい。また、転倒防止材２０は、貫通孔２２に係合する係合部２５を有してもよい。
【００３６】
上記構成によれば、少なくとも１つの側板４２に形成された貫通孔２２と、転倒防止材２に設けられた係合部２５を用いて、必要に応じて転倒防止材２０を側板４２に容易に後付けできる。
【００３７】
また、少なくとも１つの側板４２が、ねじ孔２３を有すると共に、転倒防止材２０が、組み立てられた状態で外部から視認不可能な有底のねじ孔２６ａを有してもよい。また、組立キット４０は、少なくとも１つの側板４２の転倒防止材２０側とは反対側の内面から側板４２のねじ孔２３と転倒防止材２０のねじ孔２６ａに締め込まれるねじ３５を更に備えてもよい。なお、この場合、ねじ３５の頭部が、ブロック収容室に位置することになるため、台座３０が組み立てられた状態でねじ３５が取り外しできなくなり、転倒防止材２０が、外部から外せない構造となる。
【００３８】
上記構成によれば、転倒防止材２０を側板４２に確実かつ容易に取り付けできる。
【００３９】
また、転倒防止材２０は、略同一の平面で構成される一対の側面３８を有してもよい。また、組み立てられた状態において、各側面３８は、側板４２の外面に接触する縁３７を有し、各側面３８における高さ方向に直交する直交方向の寸法は、高さ方向の下側に行くにしたがって大きくなってもよい。
【００４０】
上記構成によれば、転倒防止材２０が地面から大きな上側の垂直抗力を受けることができ、その結果、側板４２に大きな水平方向の垂直抗力を付与できる。よって、転倒防止材２０による宅配ボックス１の転倒抑制効果を顕著なものにできる。
【００４１】
なお、本開示は、上記実施形態およびその変形例に限定されるものではなく、本願の特許請求の範囲に記載された事項およびその均等な範囲において種々の改良や変更が可能である。
【００４２】
例えば、上記実施形態では、台座３０が、ブロック収容室の上側開口の大部分を塞ぐ板状の天板４３を有し、また、図２に示すように、台座３０が、転倒防止材取付用の貫通孔２２をＹ方向の端部に有する場合について説明した。
【００４３】
しかし、図８、すなわち、変形例の台座１３０の斜視図に示すように、台座１３０は、ブロック収容室１９０の上側開口の大部分を塞ぐ板状の天板を有さなくてもよい。また、台座１３０は、側板１４８の上側端部に奥行方向又は幅方向に対向するように固定される一対のアングル１４７を備えてもよい。アングル１４７は、本体固定材の一例であり、側板１４８に固定された状態で、高さ方向延在部１４７ａと、水平方向延在部１４７ｂを含んでもよい。また、高さ方向延在部１４７ａは、固定された側板１４８の延在方向と高さ方向を含む平面に略平行な状態で、固定された側板１４８に沿って延在してもよく、水平方向延在１４７ｂは、高さ方向延在部１４７ａの上側端部から台座１３０の内側にＸＹ平面に略平行な状態で高さ方向延在部１４７ａと共にＹ方向に延在してもよい。そして、各水平方向延在部１４７ｂに、宅配ボックスの本体を取り付けるための１以上のねじ孔１５５を設けてもよい。
【００４４】
また、台座１３０の台座本体１５０は、側板１４８の延在方向の端部に位置する転倒防止材取付用の貫通孔１２２ａの他に、側板１４８の中央部に位置する転倒防止材取付用の貫通孔１２２ｂを有してもよく、図８に示すように、転倒防止材２０を、貫通孔１２２ｂを用いて側板１４８の中央部に固定してもよい。なお、台座本体は、側板の中央部に位置する転倒防止材取付用の貫通孔のみを有してもよい。また、台座本体は、側板においてその延在方向の中央部でもなく端部でもない位置に設けられた転倒防止材取付用の貫通孔を含んでもよい。
【００４５】
また、台座本体に複数の転倒防止材取付用の貫通孔を設けて、宅配ボックスの設置場所により転倒防止材の取付に用いる貫通孔を適宜選択できるようにしてもよい。このようにして、設置場所に応じて都合のよい貫通孔に転倒防止材を取り付けできるようにしてもよく、又は設置場所に応じて転倒し易い側板に転倒防止材を取り付けできるようにしてもよい。
【００４６】
例えば、図９、すなわち、変形例の宅配ボックス２０１における図７に対応する模式平面図に示すように、家屋の扉が開閉するときの軌跡２８８に接触しないように、異なる２つの側板２４８に転倒防止材２０を取り付けてもよい。このようにして、宅配ボックス２０１が、奥行方向の一方側と、幅方向の一方側に転倒しないようにしてもよい。
【００４７】
又は、図１０、すなわち、更なる変形例の宅配ボックス３０１における図７に対応する模式平面図に示すように、宅配ボックス３０１は、家屋のコーナーに設置されると、家屋によって奥行方向の一方側と幅方向の一方側に転倒しない。よって、そのような場合、転倒防止材２０は、転倒の可能性がある残りの２方向への転倒防止のため、前側の側板３４８と、家屋側とは逆側の奥行方向に延在する側板３４９に取り付けてもよい。
【００４８】
また、転倒防止材２０を、ねじ３５を用いて側板４２に取り付ける場合について説明したが、転倒防止材は、ねじを用いずに側板に取り付けられてもよい。また、転倒防止材２０を、側板４２に設けた貫通孔２２と転倒防止材２０に設けた係合部２５を用いて側板４２に取り付ける場合について説明したが、転倒防止材は、それら貫通孔及び係合部を用いずに側板に取り付けられてもよい。また、これらの場合、例えば、転倒防止材は、台座が組み立てられた後、接着剤を用いていずれかの側板に取り付けられてもよい。
【００４９】
また、転倒防止材２０が、略同一の平面で構成される一対の側面３８を有し、組み立てられた状態において、各側面３８が、側板４２の外面に接触する縁３７を有する場合について説明した。そして、各側面３８の直交方向の寸法が、高さ方向の下側に行くにしたがって大きくなる場合について説明した。しかし、転倒防止材の側面は、そのような形状を有さなくてもよく、例えば、矩形の側面等を有してもよい。
【００５０】
また、転倒防止材２０に凹部３３,３４を設けて、転倒防止材２０を軽量化すると共に材料費を削減する場合について説明した。しかし、転倒防止材は、凹部を有さない中実構造を有してもよく、転倒防止材の重量を増すことで、宅配ボックスを更に転倒しにくくしてもよい。
【００５１】
また、台座が有する複数の側板４１,４２が、２つの転倒防止材取付用の貫通孔２２を有し、複数の側板４１,４２に２つの転倒防止材２０を取り付ける場合について説明した。しかし、台座が有する複数の側板は、転倒防止材取付用の貫通孔を１つのみ有してもよく、３以上有してもよい。そして、転倒防止材は、台座が有する複数の側板に設けられた貫通孔の数以下の数、側板に取り付けられてもよく、例えば、当該複数の側板に、１つのみ取り付けられてもよく、３以上取り付けられてもよい。
【符号の説明】
【００５２】
１,２０１,３０１  宅配ボックス、  １０  宅配ボックスの本体、  ２０  転倒防止材、  ２２  転倒防止材取付用の貫通孔、  ２３  側板のねじ孔、  ２５  係合部、  ２６ａ  転倒防止材のねじ孔、  ３０,１３０  台座、  ３５  転倒防止材のねじ孔と側板のねじ孔に締め込まれるねじ、  ３７  転倒防止材の一対の側面において側板の外面に接触する縁、  ３８  転倒防止材の一対の側面、  ４０  組立キット、  ４１  第１側板、  ４２  第２側板、  ４５  底板、  ４７  本体固定板（本体固定材）、  ６０  ブロック、  １４７  アングル（本体固定材）、  １４８,２４８,３４８,３４９  側板、  １９０  ブロック収容室。
【図１】
2020028402.tif 000003
【図２】
2020028402.tif 000004
【図３】
2020028402.tif 000005
【図４】
2020028402.tif 000006
【図５】
2020028402.tif 000007
【図６】
2020028402.tif 000008
【図７】
2020028402.tif 000009
【図８】
2020028402.tif 000010
【図９】
2020028402.tif 000011
【図１０】
2020028402.tif 000012